(57)【要約】【課題】メタルハライドランプ等の高輝度ランプからなる放電灯が割れ、その割れた破片が飛散する危険性を少なくすることのできる照明装置を提供する。【解決手段】照明装置１は、ベース部材２、シェード３、取手４、メタルハライドランプ５及び支持具６を備えている。メタルハライドランプ５は、支持具６にバネ部材６４を介して固定され、また、金網６６で覆われている。さらに、ベース部材２の鋺状部２０が形成する収納空間２９の開口部２０ｅ部分には、皿部３５が配置されている。このため、この照明装置１では、転倒してもバネ部材６４によって衝撃を吸収することにより、シェード３内に収納されたメタルハライドランプ５は割れにくく、また割れたとしても、その破片が飛散することを金網６６によって防止され、また、その破片が収納空間２９に侵入して、収納空間２９内の機器を破損することもない。【選択図】図２
0003186859.tif 000002
【実用新案登録請求の範囲】
【請求項１】
ベース部材(２)と、
ベース部材に立設された支持具(６)と、
該支持具に取り付けられ、高輝度ランプからなる放電灯(５)と、
前記ベース部材に支持され、前記支持具とともに前記放電灯を囲うシェード(３)と、
を備え、
前記放電灯は、
前記支持具に対し防振部材(６４)を介して取り付けられていることを特徴とする照明装置。
【請求項２】
ベース部材(２)と、
ベース部材に立設された支持具(６)と、
該支持具に取り付けられ、高輝度ランプからなる放電灯(５)と、
前記ベース部材に支持され、前記支持具とともに前記放電灯を囲うシェード(３)と、
を備え、
前記放電灯は、
網目状に形成された飛散防止部材(６６)で囲われていることを特徴とする照明装置。
【請求項３】
前記飛散防止部材は、金網であることを特徴とする請求項２に記載の照明装置。
【請求項４】
前記放電灯は、
前記支持具に対し防振部材(６４)を介して取り付けられていることを特徴とする請求項２，３のいずれか１項に記載の照明装置。
【請求項５】
収納空間が設けられたベース部材(２)と、
ベース部材を土台として立設された支持具(６)と、
該支持具に取り付けられ、高輝度ランプからなる放電灯(５)と、
前記ベース部材に支持され、前記支持具とともに前記放電灯を囲うシェード(３)と、
を備え、
前記シェードが形成する内部空間と前記収納空間とが連続する部分に設置され、前記内部空間から前記収納空間に、割れた放電灯の破片の侵入を防止する侵入防止部(３５)
が設けられたことを特徴とする照明装置。
【請求項６】
前記シェードが形成する内部空間(３９)と、前記ベース部材に設けられた収納空間(２９)と、が連続する部分に設置され、前記内部空間から前記収納空間に、割れた放電灯の破片の侵入を防止する侵入防止部（３５）
が設けられたことを特徴とする請求項１〜４のいずれか１項に記載の照明装置。
【請求項７】
前記放電灯は、メタルハライドランプであることを特徴とする請求項１〜６のいずれか１項に記載の照明装置。
【請求項８】
前記シェードは、乳白色の合成樹脂で構成されていることを特徴とする照明装置。
【考案の詳細な説明】
【技術分野】
【０００１】
本考案は、高輝度ランプからなる放電灯を備える照明装置に関する。
【背景技術】
【０００２】
従来より、光源としてメタルハライドランプ等の高輝度ランプを備え、この光源を覆う略球形のシェード（例えばバルーンで構成されたシェード）を備えた照明装置が工事現場などで用いられている。
【０００３】
この照明装置は、三脚スタンドやテレスコープ式の伸縮駆動装置などにより立設されたポールに支持され、地面から所定高さ位置に設置して使用される。
【考案の概要】
【考案が解決しようとする課題】
【０００４】
ところで、このメタルハライドランプは、内部の発光管が１０００℃〜１１００℃の高温となる。
そのため、上述した照明装置は、倒されてメタルハライドランプが割れてしまうと、高温の破片がシェードを溶かして外部に飛び出す可能性があり、危険である。
【０００５】
しかし、この照明装置は、工事現場など屋外で使用されることが多く、しかも、三脚スタンドなどにより立設されたポールに支持された状態で設置されることが多いので、突風や地震等によって転倒し、メタルハライドランプが割れてしまう可能性があった。
【０００６】
そこで本考案では、メタルハライドランプ等の高輝度ランプからなる放電灯が割れ、その割れた破片が飛散する危険性を少なくすることができる照明装置を提供することを目的とする。
【課題を解決するための手段】
【０００７】
本考案の請求項１の照明装置は、ベース部材(２)と、ベース部材に立設された支持具(６)と、この支持具に取り付けられ、高輝度ランプからなる放電灯(５)と、ベース部材に支持され、支持具とともに放電灯を囲うシェード(３)と、を備え、放電灯は、支持具に対し防振部材(６４)を介して取り付けられている。
【０００８】
このようにすると、照明装置が倒れても、これによる衝撃が放電灯に伝わる前に防振部材によって和らぐので、放電灯が割れ、その割れた破片が飛散する危険性を少なくすることができる。
【０００９】
尚、請求項４に記載に記載された照明装置も同様である。
次に、請求項２に記載の照明装置は、ベース部材(２)と、ベース部材に立設された支持具(６)と、支持具に取り付けられ、高輝度ランプからなる放電灯(５)と、ベース部材に支持され、支持具とともに放電灯を囲うシェード(３)と、を備え、放電灯は、網目状に形成された飛散防止部材(６６)で囲われている。
【００１０】
このようにすると、照明装置が倒れて放電灯が割れてしまっても、飛散防止部材が、その割れた破片が飛散することを防ぐので、放電灯が割れ、その割れた破片が飛散する危険性を少なくすることができる。
【００１１】
尚、飛散防止部材としては光の照射に影響を与えない（明るさを落とさない）程度で、かつ、極力細かい破片を飛散させにくくするために、細い線材を使用して比較的加工製作が行い易い格子目状の部材を採用した。
【００１２】
この飛散防止部材は、請求項３に記載したように、飛散防止部材は、金網であることが好ましい。高輝度ランプは例えば上述したメタルハライドランプのように１０００℃〜１１００℃の高温となり、その破片も高温だからである。
【００１３】
次に、請求項５に記載の照明装置は、収納空間が設けられたベース部材(２)と、ベース部材を土台として立設された支持具(６)と、この支持具に取り付けられ、高輝度ランプからなる放電灯(５)と、ベース部材に支持され、支持具とともに放電灯を囲うシェード(３)と、を備え、シェードが形成する内部空間と収納空間とが連続する部分に設置され、内部空間から収納空間に、割れた放電灯の破片の侵入を防止する侵入防止部(３５)が設けられている。
【００１４】
このようにすると、放電灯が割れても、その割れた破片が収納空間に到達することを侵入防止具が防ぐので、放電灯が割れ、その割れた破片が収納空間にまで飛散する危険性を少なくすることができる。
【００１５】
その結果、収納空間に、安定器や各種電線が収納されていても、これらが、放電灯が割れた破片で破損することを防止でき、その破損により漏電等が発生することも防止できる。
【００１６】
尚、請求項６に記載の考案も同様の効果を奏する。
次に、放電灯としては請求項７に記載したメタルハライドランプやナトリウムランプでもよく、また、請求項８に記載したように、シェードとしては乳白色の合成樹脂で構成されていてもよいが、これに限られない。
【００１７】
因みに、上記各手段等の括弧内の符号は、後述する実施形態に記載の具体的手段等との対応関係を示す一例であり、本考案は上記各手段等の括弧内の符号に示された具体的手段等に限定されるものではない。
【図面の簡単な説明】
【００１８】
【図１】本実施形態の照明装置１の正面図である。
【図２】本実施形態の照明装置１を構成する各部材のうち、ベース部材２、シェード３、及び、把持部４０を除く取手４を軸中心αで切断した断面で示した正面図である。
【図３】本実施形態の照明装置１の斜視図であって、取手４、及び、シェード３を構成する上部材３２を外した状態を示す斜視図である。
【考案を実施するための形態】
【００１９】
以下に本考案の実施形態である照明装置１について、図面と共に説明する。
尚、以下の説明において、中心軸、上下方向、左右方向、及び、前後方向とは、次のことを意味する。
【００２０】
中心軸は、この照明装置１を構成するシェード３及び鋺状部２０が同一線上に並ぶ各回転軸回りに回転させた回転体形状に形成されているため、これら回転軸と同一線上を通る軸を意味する（図２参照）。
【００２１】
以下では、この中心軸については符号αを付して説明する。
上下方向は、本実施形態の照明装置１が中心軸αの軸方向と重力方向とが一致するように設置して使用されるものであるので、重力方向に沿った方向を意味する。
【００２２】
左右方向は、本実施形態の照明装置１が上下方向に沿って配置された２本の支柱６０を備えているので（図２参照）、これらの並び方向に沿った方向を意味する。
前後方向は、前述の２本の支柱６０を通る面に垂直な方向に沿った方向を意味する。
【００２３】
尚、図２では、支柱６０を紙面の左右方向に並べて記載しているので、前述した左右方向は、図１（図２は、図１の断面図であるため）と図２において、紙面の左右方向と一致するものとし、前述した前後方向は、紙面手前側が前方、紙面奥側が後方と一致するものとして以下説明する。
（照明装置１の全体構成）
本実施形態の照明装置１は、図１に示すように、シェード３内にメタルハライドランプを備え、このメタルハライドランプを点灯させて出力される光をシェード３を通して周囲に照射し、この照明装置１が設置された場所を照らす装置である。
【００２４】
メタルハライドランプはいわゆる高輝度ランプであって非常に明るいため、この照明装置１は、工事現場など屋外での照明に適している。
この照明装置１は、前述したシェード３の他に、ベース部材２と、取手４とを備えている。
【００２５】
ベース部材２は最下段に設置され、シェード３はベース部材２の上部に取り付けられ、取手４はシェード３の上部に取り付けられている。
そしてさらに、本実施形態の照明装置１は、図２に示すように、前述したメタルハライドランプ５及び支持具６を備え、支持具６は、ベース部材２に支持され、メタルハライドランプ５をシェード３内で支持している。
【００２６】
以下、この照明装置１について詳細に説明する。
（ベース部材２）
ベース部材２は、鋺状部２０と土台部２１とを備えている。
【００２７】
このうち、鋺状部２０は、底部２０ａと、側面部２０ｂと、フランジ部２０ｃとを有し、金属で一体に形成されている。
底部２０ａは、中心軸αを中心とする円板状に形成されている。
【００２８】
側面部２０ｂは、中心軸αを回転軸とする回転体状に形成されており、具体的には、中心軸αから所定距離離れた位置に配置された曲線であって、上方に向かうほど中心軸αから遠ざかり、上下方向の中央部分が外側に向かって膨らんだ形状の曲線を、中心軸α回りに回転させた回転体状に形成されている。
【００２９】
底部２０ａは、この側面部２０ｂが形作る回転体の下方側の開口を閉じている。
尚、この側面部２０ｂが形作る回転体の上方側の開口を、以下、開口部２０ｅと呼ぶ。  また、この底部２０ａ、側面部２０ｂ及び開口部２０ｅで囲われた空間を収納空間２９と呼ぶ。
【００３０】
この鋺状部２０は、側面部２０ｂの上端にフランジ部２０ｃが形成されている。
このフランジ部２０ｃは、側面部２０ｂの上端を外側に向かって水平（中心軸αに対し垂直）に折り曲げ、その折り曲げられた部分の外周縁部をさらに上方に向かって折り曲げた形状に形成されている。
【００３１】
そして、このフランジ部２０ｃの上方に向かって折り曲げられた部分には、パッキン２７が取り付けられている。このパッキン２７は、鋺状部２０内に雨水等が侵入することを防止するためのものである。
【００３２】
また鋺状部２０は、収納空間２９内に、底部２０ａ上に設置された台座部２４と、さらに、この台座部２４上に設置された台部２５とを備えている。
台座部２４は、中心軸α上の中央部分が上方に向かって突出した円柱形状の支持部２４ａを備えており、台部２５は、この支持部２４ａの上端に固定されることによって底部２０ａに対して固定されている。
【００３３】
台部２５は、中心軸αに垂直な平面形状に形成されており、この台部２５の上面中央には安定器９が設置される。安定器９は、この台部２５に設置された状態で収納空間２９内に収納される。
【００３４】
また、この台部２５には、後述する支持具６を構成する一対の支柱６０が取り付けられている。これら支柱６０は、中心軸αを通る左右方向に沿った線上の中心軸αから等距離の位置であって、安定器９の左右両側の台部２５上に固定される。
【００３５】
これにより、支柱６０は、台部２５から上方に向かって立設され、中心軸αの左右の中心軸αから等距離の位置に、中心軸αに対して平行に配置されることとなる。
また、この台部２５には、各支柱６０の前後に配置され、中心軸αに沿って台部２５から立設された４つの皿部支柱２６が固定される。
これら皿部支柱２６は、台部２５から鋺状部２０の開口部２０ｅに到達する長さに形成され、その上端に後述する下部材３１及び皿部３５がネジβでネジ止めされ、これにより、下部材３１及び皿部３５は、台部２５を介してベース部材２に固定される。
【００３６】
次に、土台部２１は、鋺状部２０の底部２０ａの下面に、鋺状部２０に対し一体に取り付けられるもので、３本の脚部２２と、図示しないポールを差込可能な差込部２３とを主に備えている。
【００３７】
各脚部２２は、中心軸α上に重心が位置する正三角形であって、この正三角形の各頂点が位置する部分のそれぞれに配置されている。
本実施形態の照明装置１は、これら脚部２２を用いることで、例えば、水平な台上に安定的に置くことができる。
【００３８】
差込部２３は、下方に向かって開口し、中心軸αと同心状の穴部２３ａを有している。
本実施形態の照明装置１は、この穴部２３ａにポールの一端に差し込み、このポールの他端側に三脚を取り付け、ポールの一端側を上にして三脚を使って立てかけることで、このベース部材２を介してポールに支えられて、地面から所定の高さ位置に設置することができる。
（シェード３）
シェード３は、乳白色の合成樹脂（ポリプロピレン）を用い、中心軸αを回転軸とする回転体である楕円体状に形成されたものである。
【００３９】
このシェード３の内部空間３９には、その中心点付近にメタルハライドランプ５が設置されるため、メタルハライドランプ５から受ける熱で溶融しないように、メタルハライドランプ５が設置される位置から所定距離離れた位置でメタルハライドランプ５を覆うことができる大きさに形成されている。
【００４０】
このシェード３は、上下方向の中間位置で上下２つの部材（上部材３２、下部材３１）に分割することができる。
このうち下部材３１の最下部には、下方に向かって窪んだ窪部３１ａが設けられ、この窪部３１ａは、中心軸αを中心とする円板状に形成された底面と、この底面の周縁部から上方に向かって立設された円筒状の側壁とからなる形状に形成されている。
【００４１】
この窪部３１ａは、下部材３１を鋺状部２０に取り付けるときに、底面が、開口部２０ｅを覆うとともに、フランジ部２０ｃの水平に折れ曲がった部分に当接し、周縁部が、フランジ部２０ｃの上方に向かって折り曲げられた部分に当接するよう、フランジ部２０ｃで囲われた部分に嵌め込まれる。
【００４２】
また、下部材３１の上縁部には、外側に向かって逆Ｕ字状に折り返された取付下枠部３１ｂが形成されている。この取付下枠部３１ｂが設けられた部分のうち前後左右の４箇所には、図３に示すように、この折り返された部分に止められた逆Ｕ字状の金具３８が取り付けられている。
【００４３】
一方、上部材３２の最上部には、図２に示すように、取手４を取り付けるための天井部３２ａが形成され、この天井部３２ａは、中心軸αを中心とする所定範囲が、中心軸αに対して垂直な円形の平板状に形成されている。そしてこの天井部３２ａの中心には、支持具６の後述する取手取付部６３ｂが貫通する貫通孔が形成されている。
【００４４】
また、上部材３２の下縁部には、上部材３２の下端部が外側に向かって平行に折られ、その平行に折られた部分の外周縁が下方に向かってさらに折り返されたような形状の取付上枠部３２ｂが形成されている。
【００４５】
シェード３は、下部材３１の取付下枠部３１ｂと上部材３２の取付上枠部３２ｂとが嵌るように下部材３１の上に上部材３２を重ねると、上部材３２が下部材３１に対し前後左右に横ズレしないように重ねられる。
【００４６】
また、下部材３１の窪部３１ａには、鉄その他の金属で形成された皿部３５が嵌め込まれる。この皿部３５は、円板状の底面の周縁部に沿って円筒状の側面が立設された形状に形成されている。
【００４７】
この皿部３５及び窪部３１ａには、図３に示すように、左右方向に長尺な長孔３５ａ、３１ａａが形成されている。
本実施形態では、下部材３１を鋺状部２０に取り付ける際に、先に支持具６がベース部材２に取り付けられ、さらに、メタルハライドランプ５が支持具６に取り付けられている。
【００４８】
そのため、長孔３５ａ、３１ａａは、下部材３１を鋺状部２０に取り付ける際に、これらメタルハライドランプ５及び支持具６を通すことが可能な大きさに形成されている。
この長孔３５ａ、３１ａａにメタルハライドランプ５及び支持具６を通して下部材３１が鋺状部２０に取り付けられると、支柱６０が、長孔３５ａ、３１ａａを通って鋺状部２０内からシェード３内に延設された状態となる。
【００４９】
下部材３１及びと皿部３５は、前述した４つの皿部支柱２６の先に、下部材３１の窪部３１ａ及び皿部３５を貫通したネジβを螺入することによってベース部材２に固定される。
【００５０】
また、皿部３５が、シェード３が形成する内部空間３９と、鋺状部２０に設けられた収納空間２９と、が連続する部分、すなわち開口部２０ｅが設けられた部分を塞ぐように設置されることにより、内部空間３９から収納空間２９への侵入物の侵入、すなわち、メタルハライドランプ５が割れたときの破片の侵入が防止される。
【００５１】
（取手４）
取手４は、図２に示すように、逆Ｕ字状に形成された把持部４０と、その把持部４０を前後方向に傾倒可能に支持する取手土台部４１と、この取手土台部４１を貫通する取手取付部６３ｂを覆うキャップ４２とからなる。
【００５２】
取手土台部４１は円板状に形成されており、その軸中心には、取手取付部６３ｂを貫通可能な貫通孔が形成され、この取手土台部４１の下面には、その貫通孔を中心とする同心円状状に形成された大小二つの脚部４１ａ、４１ｂが形成されている。
【００５３】
このうち、小さい円状に形成された脚部４１ａは、取手取付部６３ｂを貫通させて取手土台部４１を天井部３２ａ上に配置したとき、後述する間隔保持部６３ａに取り付けられたワッシャγに対向する位置で、天井部３２ａに当接する。
【００５４】
一方、大きい円状に形成された脚部４１ｂは、取手土台部４１の外縁部に沿って形成されており、取手取付部６３ｂを貫通させて取手土台部４１を天井部３２ａ上に配置したとき、天井部３２ａの外縁に沿って天井部３２ａに当接する。
【００５５】
この取手土台部４１は、脚部４１ａ、４１ｂが天井部３２ａに接触することで上部材３２上に載置される。そしてこのとき、取手取付部６３ｂが取手土台部４１の中心部を貫通することで、中心軸αと同軸状に配置される。
【００５６】
また、この取手土台部４１の上面上には、この取手土台部４１の貫通孔から左右の等距離の位置に一対の突起部４１ｃが突設されている。この突起部４１ｃには把持部４０の両端部が回動可能に取り付けられる。これによって、把持部４０は前後方向に傾倒可能に取手土台部４１に対して取り付けられる。
【００５７】
次に、キャップ４２は、前述したように、取手土台部４１から飛び出した取手取付部６３ｂに取り付けられるものであり、略円柱形状に形成されている。このキャップ４２には、その外形と同軸状に形成され、取手土台部４１を通された取手取付部６３ｂ全体を挿入可能な大きさの穴部であって、取手取付部６３ｂのうちキャップ４２に差し込まれる部分と相似形状の穴部を有している。キャップ４２は、この穴部に取手取付部６３ｂが挿入されて嵌合や螺入等により取手取付部６３ｂに対して固定される。
【００５８】
前述した取手土台部４１は、このキャップ４２が取手取付部６３ｂに固定されることによって上部材３２の天井部３２ａを介してワッシャγとキャップ４２との間に挟まれ、天井部３２ａ上に固定される。
【００５９】
すると、取手４は、支持具６を介してベース部材２とも固定されるので、この取手４が天井部３２ａ上に固定されると、本実施形態の照明装置１は、把持部４０を把持して持ち上げることにより持ち運びすることができる。
【００６０】
また、このキャップ４２は、ベース部材２の差込部２３に設けられた穴部２３ａに挿入可能な大きさに形成されている。
そのため、上段の照明装置１のベース部材２の穴部２３ａに、下段の照明装置１のキャップ４２を挿入すると、照明装置１を上下に重ね、上段の照明装置１を下段の照明装置１に対し固定して設置することが可能となる。
（メタルハライドランプ５）
メタルハライドランプ５は、高輝度ランプの一種である。
このメタルハライドランプ５は、一方向に長尺な略円筒形状に形成されており、本実施形態では、後述するように、左右方向に沿って配置される。
【００６１】
このメタルハライドランプ５は、安定器９を介して外部から供給された電力によって点灯する。安定器９からメタルハライドランプ５に至る電力供給線は、前述した長孔３５ａ、３１ａａを介し、支柱６０に縛られるなどして配線される。
（支持具６）
支持具６は、左右方向に所定間隔を開けて、上下方向に沿って配置される２本の支柱６０と、この支柱６０の上下方向中程に各支柱６０を渡して設置される中間支持具６１と、この支柱６０の上端部に各支柱６０を渡して設置される上部支持具６２とを備えている。  
【００６２】
このうち中間支持具６１は、シェード３を構成する上部材３２と下部材３１との接合位置よりも下方に設置される。
また、この支持具６は、上部支持具６２の長手方向（左右方向）の中間位置から上方に向かって延設された連結支柱６３を備えている。この連結支柱６３は中心軸αと同軸状に配置される。
【００６３】
この連結支柱６３は、下部材３１に上部材３２を取り付けたときに、上部支持具６２と、上部材３２の天井部分との間に配置される間隔保持部６３ａと、上部材３２を貫通し、上部材３２の上方に配置される取手取付部６３ｂとを有し、間隔保持部６３ａが取手取付部６３ｂよりも細い径で形成されている。
【００６４】
次に、この支持具６は、中間支持具６１の長手方向（支柱６０の並び方向）の中間位置であって、中間支持具６１の上面に設置されたバネ部材６４を備えている。
このバネ部材６４の上端には、支柱６０の並び方向に沿って長尺なライト設置台６５が取り付けられ、このライト設置台６５上には、メタルハライドランプ５が、その長手方向と支柱６０の並び方向とが一致するように設置される。
【００６５】
そして、このライト設置台６５には、金網６６が設置されている。
この金網６６は、平面上に形成された金網を、逆Ｕ字状に曲げた形状に形成されており、左右方向に垂直な断面でみたとき、その断面が逆Ｕ字状となるように、ライト設置台６５に配置される。
（組み立て）
本実施形態の照明装置１は次のようにして組み立てる。
（１）支柱６０と皿部支柱２６を台部２５にネジ止めして立設し、ベース部材２内に安定器９を設置する。そして、支持具６を組み上げ、メタルハライドランプ５を支持具６に設置し、鋺状部２０内に設置された安定器９からメタルハライドランプ５に至る電力線を配線する。
（２）下部材３１の窪部３１ａに皿部３５を嵌め込み、長孔３５ａ，３１ａａに支持具６を通してフランジ部２０ｃに窪部３１ａが嵌まるように、下部材３１をベース部材２上に設置する。
【００６６】
そして、窪部３１ａ及び皿部３５にネジβのネジ軸を貫通させて、ネジβのネジ軸を支持具６に螺入させ、下部材３１及び皿部３５をベース部材２に固定する。
（３）次に、取付上枠部３２ｂを取付下枠部３１ｂに嵌め合わせて、上部材３２を下部材３１に被せる。このとき支持具６の間隔保持部６３ａの上端にナットとワッシャγを取り付け、取手取付部６３ｂを上部材３２の天井部３２ａに対して貫通させる。
（４）取手４の取手土台部４１に取手取付部６３ｂを貫通させ、取手土台部４１を上部材３２の天井部３２ａの上面上に載置する。そして、取手土台部４１から飛び出した取手取付部６３ｂにキャップ４２を取り付ける。
【００６７】
すると、取手土台部４１がキャップ４２によって抜けなくなるとともに、取手土台部４１の脚部４１ａとワッシャγとの間に上部材３２の天井部３２ａが挟まれ、上部材３２が支持具６に固定されるとともに、取手４も支持具６に固定される。
【００６８】
このようにして、照明装置１は組み上げられる。
（本実施形態の照明装置１の特徴的な作用効果）
以上のように構成された本実施形態の照明装置１は、以下のような特徴的な作用効果を奏する。
（１）本実施形態の照明装置１は、地震や強風などによって倒れても、これによる衝撃がメタルハライドランプ５に伝わる前にバネ部材６４によって和らぐので、メタルハライドランプ５が割れ、その割れた破片が飛散する危険性を少なくすることができる
（２）本実施形態の照明装置１は、地震や強風などによって倒れてメタルハライドランプ５が割れてしまっても、金網６６が、その割れた破片が飛散することを防ぐので、メタルハライドランプ５が割れ、その割れた破片が飛散する危険性を少なくすることができる。
（３）本実施形態の照明装置１は、皿部３５を備えることにより、鋺状部２０内に形成される収納空間２９内に、メタルハライドランプ５が割れた高温の破片が侵入することを防止できるので、放電灯の破損により収納空間２９内に収納された安定器９が破損する危険性を小さくすることができる。
［他の実施形態］
以上、実施形態について説明したが、実用新案登録請求の範囲に記載された考案は、上記実施形態に限定されることなく、種々の形態を採り得ることは言うまでもない。
（１）上記実施形態で説明した照明装置１はあくまでも一例であり、これに限定されるものではない。
（２）上記実施形態では、シェード３として、乳白色のポリプロピレンからなるものを例示したが、これに限定されるものではなく、例えば、他の色のポリプロピレンで形成されていてもよい。また、材料もポリプロピレン以外の合成樹脂やその他の材料を用いてもよい。
（３）上記実施形態では、高輝度ランプとしてメタルハライドランプ５を用いた例について説明したが、他に、ナトリウムランプ等を用いてもよい。
【符号の説明】
【００６９】
１… 照明装置  ２… ベース部材  ３… シェード  ４… 取手
５… メタルハライドランプ（放電灯）  ６… 支持具  ９… 安定器
２０… 鋺状部  ２０ａ… 底部  ２０ｂ… 側面部  ２０ｃ… フランジ部
２０ｅ… 開口部  ２１… 土台部  ２２… 脚部  ２３… 差込部  ２３ａ… 穴部
２４… 台座部  ２４ａ… 支持部  ２５… 台部  ２６… 皿部支柱
２７… パッキン２９… 収納空間
３１… 下部材  ３１ａ… 窪部  ３１ａａ…長孔  ３１ｂ… 取付下枠部
３２… 上部材  ３２ａ… 天井部  ３２ｂ… 取付上枠部  ３５… 皿部（侵入防止部）
３５ａ… 長孔  ３８… 金具  ３９… 内部空間
４０… 把持部  ４１… 取手土台部  ４１ａ、４１ｂ… 脚部  ４１ｃ… 突起部
４２… キャップ
６０… 支柱  ６１… 中間支持具  ６２… 上部支持具  ６３… 連結支柱
６３ｂ… 取手取付部  ６３ａ… 間隔保持部  ６４… バネ部材（防振部材）
６５… ライト設置台  ６６… 金網（飛散防止部材）
【図１】
0003186859.tif 000003
【図２】
0003186859.tif 000004
【図３】
0003186859.tif 000005
【手続補正書】
【提出日】平成25年8月27日(2013.8.27)
【手続補正１】
【補正対象書類名】実用新案登録請求の範囲
【補正対象項目名】全文
【補正方法】変更
【補正の内容】
【実用新案登録請求の範囲】
【請求項１】
ベース部材(２)と、
該ベース部材に立設された支持具(６)と、
該支持具に取り付けられ、高輝度ランプからなる放電灯(５)と、
前記ベース部材に支持され、前記支持具とともに前記放電灯を囲うシェード(３)と、
を備え、
前記放電灯は、
前記支持具に対し防振部材(６４)を介して取り付けられていることを特徴とする照明装置。
【請求項２】
ベース部材(２)と、
該ベース部材に立設された支持具(６)と、
該支持具に取り付けられ、高輝度ランプからなる放電灯(５)と、
前記ベース部材に支持され、前記支持具とともに前記放電灯を囲うシェード(３)と、
を備え、
前記放電灯は、
網目状に形成された飛散防止部材(６６)で囲われていることを特徴とする照明装置。
【請求項３】
前記飛散防止部材は、金網であることを特徴とする請求項２に記載の照明装置。
【請求項４】
前記放電灯は、
前記支持具に対し防振部材(６４)を介して取り付けられていることを特徴とする請求項２，３のいずれか１項に記載の照明装置。
【請求項５】
収納空間が設けられたベース部材(２)と、
該ベース部材を土台として立設された支持具(６)と、
該支持具に取り付けられ、高輝度ランプからなる放電灯(５)と、
前記ベース部材に支持され、前記支持具とともに前記放電灯を囲うシェード(３)と、
を備え、
前記シェードが形成する内部空間と前記収納空間とが連続する部分に設置され、前記内部空間から前記収納空間に、割れた前記放電灯の破片の侵入を防止するため、前記内部空間に対して開口した前記収納空間の開口部を塞ぐ侵入防止部(３５)
が設けられたことを特徴とする照明装置。
【請求項６】
前記シェードが形成する内部空間(３９)と、前記ベース部材に設けられた前記収納空間(２９)と、が連続する部分に設置され、前記内部空間から前記収納空間に、割れた前記放電灯の破片の侵入を防止する侵入防止部（３５）
が設けられたことを特徴とする請求項１〜４のいずれか１項に記載の照明装置。
【請求項７】
前記放電灯は、メタルハライドランプであることを特徴とする請求項１〜６のいずれか１項に記載の照明装置。
【請求項８】
前記シェードは、乳白色の合成樹脂で構成されていることを特徴とする照明装置。
【手続補正２】
【補正対象書類名】明細書
【補正対象項目名】００１３
【補正方法】変更
【補正の内容】
【００１３】
次に、請求項５に記載の照明装置は、収納空間が設けられたベース部材(２)と、ベース部材を土台として立設された支持具(６)と、この支持具に取り付けられ、高輝度ランプからなる放電灯(５)と、ベース部材に支持され、支持具とともに放電灯を囲うシェード(３)と、を備え、シェードが形成する内部空間と収納空間とが連続する部分に設置され、内部空間から収納空間に、割れた放電灯の破片の侵入を防止するため、内部空間に対して開口した収納空間の開口部を塞ぐ侵入防止部(３５)が設けられている。